(57)【要約】【課題】  スクリーン印刷によりグラデーション状に網点が施された表示板において、グラデーション表示の解像度を高める。【解決手段】  等間隔に配置された網点により明るさが徐々に変化するグラデーション状にスクリーン印刷してなる第１網点印刷層３２および第２網点印刷層３３を備え、第１網点印刷層３２の網点Ｐが並ぶ方向（網点方向Ｂ１）と第２網点印刷層３３の網点Ｐが並ぶ方向（網点方向Ｂ２）とが所定の回転角度θを有するように、両網点印刷層３２、３３を積層配置する。これにより、グラデーション状にスクリーン印刷してなる網点印刷層３２、３３を２層にするので、スクリーン印刷の限界を超えて網点ピッチを小さくでき、グラデーション表示の解像度を高めることができる。【選択図】        図４
2005031634.tif 000002
【特許請求の範囲】
【請求項１】
網点（Ｐ）により明るさが徐々に変化するグラデーション状にスクリーン印刷してなる第１網点印刷層（３２）および第２網点印刷層（３３）を備え、前記第１網点印刷層（３２）の網点（Ｐ）が並ぶ方向と前記第２網点印刷層（３３）の網点（Ｐ）が並ぶ方向とが所定の回転角度を有するように、前記両網点印刷層（３２、３３）を積層配置したことを特徴とする車両用表示装置の表示板。
【請求項２】
前記両網点印刷層（３２、３３）は、隣り合う網点（Ｐ）が接触する接触領域と、隣り合う網点（Ｐ）が接触しない非接触領域とのトーンジャンプ境界（Ｔ）を有しており、前記第１網点印刷層（３２）のトーンジャンプ境界（Ｔ）と前記第２網点印刷層（３３）のトーンジャンプ境界（Ｔ）とがずれた位置関係となるように、前記両網点印刷層（３２、３３）を積層配置したことを特徴とする請求項１に記載の車両用表示装置の表示板。
【請求項３】
前記第１網点印刷層（３２）の網点（Ｐ）が並ぶ方向と前記第２網点印刷層（３３）の網点（Ｐ）が並ぶ方向とが交差する角度は、１０度以上４０度以下であることを特徴とする請求項１または２に記載の車両用表示装置の表示板。
【請求項４】
前記両網点印刷層（３２、３３）を、前記積層の方向に所定間隔以上離して配置したことを特徴とする請求項１ないし３のいずれか１つに記載の車両用表示装置の表示板。
【請求項５】
前記両網点印刷層（３２、３３）とともに積層配置され、光を拡散反射させる拡散層（３１、３１ａ、３４）を備えることを特徴とする請求項１ないし４のいずれか１つに記載の車両用表示装置の表示板。
【請求項６】
前記両網点印刷層（３２、３３）は透光性基板（３１）に印刷して形成されており、前記透光性基板（３１）には光を拡散反射させる拡散材が混入されており、前記透光性基板（３１）により前記拡散層を構成したことを特徴とする請求項５に記載の車両用表示装置の表示板。
【請求項７】
光を拡散反射させる拡散材が混入したインクにより印刷して形成された拡散反射印刷層（３４）を備え、前記拡散反射印刷層（３４）により前記拡散層を構成したことを特徴とする請求項５に記載の車両用表示装置の表示板。
【請求項８】
前記両網点印刷層（３２、３３）の裏面から表面に向けて光を透過させる透過照明により、前記両網点印刷層（３２、３３）を照明するようになっていることを特徴とする請求項１ないし７のいずれか１つに記載の車両用表示装置の表示板。
【請求項９】
請求項１ないし８のいずれか１つに記載の表示板（３０）と、前記表示板（３０）を照明する光源（６０）とを備えることを特徴とする車両用表示装置。
【発明の詳細な説明】
【技術分野】
【０００１】
本発明は、車両用表示装置およびその表示板に関するものである。
【背景技術】
【０００２】
従来、この種の車両用表示装置に関し、表示板に網点印刷を施して、明るさが徐々に変化するグラデーション状に表示させるものが知られている（例えば、特許文献１参照）。
【特許文献１】実用新案登録第２５２６３２３号公報
【発明の開示】
【発明が解決しようとする課題】
【０００３】
ここで、一般的にスクリーン印刷ではオフセット印刷等に比べて印刷の精細度が低いため、上記網点をスクリーン印刷により形成すると、網点ピッチが大きくなり、グラデーション表示の解像度が低くなってしまう。よって、表示板に網点を１層印刷しただけでは、人間の目の分解能により網点個々の形状が鮮明に視認されてしまい、滑らかなグラデーションを表現できない。
【０００４】
本発明は、上記点に鑑み、スクリーン印刷によりグラデーション状に網点が施された表示板において、グラデーション表示の解像度を高めることを目的とする。
【課題を解決するための手段】
【０００５】
上記目的を達成するため、請求項１に記載の発明では、網点（Ｐ）により明るさが徐々に変化するグラデーション状にスクリーン印刷してなる第１網点印刷層（３２）および第２網点印刷層（３３）を備え、第１網点印刷層（３２）の網点（Ｐ）が並ぶ方向と第２網点印刷層（３３）の網点（Ｐ）が並ぶ方向とが所定の回転角度を有するように、両網点印刷層（３２、３３）を積層配置したことを特徴とする。
【０００６】
これにより、グラデーション状にスクリーン印刷してなる網点印刷層（３２、３３）を少なくとも２層にするので、車両乗員には両網点印刷層（３２、３３）が重なって視認されることとなる。よって、スクリーン印刷の限界を超えて網点ピッチを小さくでき、グラデーション表示の解像度を高めることができる。
【０００７】
ここで、上記両網点印刷層（３２、３３）を単純に重ねただけでは、大きな周期構造を持つ後述の干渉模様（モアレ）が発生してしまうことが本発明者らの試作検討により明らかになった。これに対し本発明では、所定の回転角度を有するように、両網点印刷層（３２、３３）を積層配置するので、以下に説明するように干渉模様の発生を回避できる。
【０００８】
はじめに、干渉模様について説明すると、両網点印刷層（３２、３３）を積層して重ねるにあたり、網点同士の重なる量が大きいほど明るく見え（図１０参照）、重なる量が少ないほど暗く見える（図１１参照）。
【０００９】
そして、第１網点印刷層（３２）の網点（Ｐ）が並ぶ方向（以下、網点方向と呼ぶ）と第２網点印刷層（３３）の網点方向とが平行となるように（上記回転角度が０°となるように）両網点印刷層（３２、３３）を重ねると、グラデーション方向と直交する方向においてはどの部分であっても重なる量は理論的には同じとなる。因みに、グラデーション方向においては網点が大きい部分であるほど重なる量は大きくなり、グラデーションの見栄えを損ねるものとはならない。
【００１０】
しかし、実際には、回転角度が完全に０°とはならず、僅かな回転角度θ’が生じる。すると、グラデーション方向と直交する方向において、重なる量が周期的に変化する。従って、グラデーション方向と直交する方向において、暗く見える部分が所定間隔Ｌ毎に連続的に生じる（図１２参照）。そして、このように連続的な暗く見える部分は、縞模様として乗員に視認されてしまう。
【００１１】
なお、図１１においても前記僅かな回転角度が生じているため、実際のスケールに縮小すれば干渉による縞模様が視認できるが、前記所定間隔Ｌが紙面に比べて極めて大きく縞模様が見難い。そこで、図１２は、縞模様を見やすくするように図１１に比べて大きく回転させた（θ’＝約１°）ものである。
【００１２】
そして、回転角度を徐々に大きくしていくと、所定間隔Ｌが短くなっていき（図１３参照）、所定角度以上に回転角度を大きくすると、暗く見える部分が連続的に生じるといった現象がなくなり、干渉模様が消える（図１４参照）。
【００１３】
因みに、網点（Ｐ）が等間隔で配置されていれば、両網点印刷層（３２、３３）で異なる形状の網点を採用したり、異なる網点ピッチのものを採用した場合であっても、上記干渉模様の説明は成り立つ。すなわち、所定の回転角度θを有していなければ上記干渉模様が発生し、所定の回転角度θを有していれば干渉模様が消える。
【００１４】
請求項２に記載の発明では、両網点印刷層（３２、３３）は、隣り合う網点（Ｐ）が接触する接触領域と、隣り合う網点（Ｐ）が接触しない非接触領域とのトーンジャンプ境界（Ｔ）を有しており、第１網点印刷層（３２）のトーンジャンプ境界（Ｔ）と第２網点印刷層（３３）のトーンジャンプ境界（Ｔ）とがずれた位置関係となるように、両網点印刷層（３２、３３）を積層配置したことを特徴とする。
【００１５】
図３（ａ）（ｂ）（ｃ）に例示されるように、一般的に、トーンジャンプ境界（Ｔ）では明るさが大きく変化するように見える。従って、両網点印刷層（３２、３３）のトーンジャンプ境界（Ｔ）位置が一致するように両網点印刷層（３２、３３）を積層配置すると、当該一致した位置にて明るさが急激に変化するように見えてしまい、グラデーションの見栄えを損ねるといった問題が生じる。
【００１６】
これに対し、上記請求項２に記載の発明では、両網点印刷層（３２、３３）のトーンジャンプ境界（Ｔ）をずれた位置関係にするので、トーンジャンプ境界（Ｔ）にて明るさが大きく変化することを抑制でき、グラデーションの見栄えを向上できる。
【００１７】
因みに、図３（ｄ）（ｅ）に例示されるように、接触領域が存在せず、非接触領域のみからグラデーションを表現できる網点を本発明に採用すれば、そもそもトーンジャンプ境界が存在しないため、明るさが大きく変化することによる上記問題を回避できる。その反面、図３（ｅ）に示す網点では次のような問題が生じる。
【００１８】
すなわち、明るく表示する領域では黒い部分（図３（ｅ）中の符号Ｓ１に示す部分）の形状が線状であり、当該線の太さが徐々に太くなることで徐々に暗くなるグラデーションを表現する。従って、明るく表示する領域においては、上記黒線Ｓ１の太さが細いため、人間の目には黒線Ｓ１の太さの変化を視認することが困難となる。よって、明るく表示する領域においてはグラデーションを表現できない。
【００１９】
同様に、図３（ｄ）に示す網点においても、暗く表示する領域においては、白い部分（図３（ｄ）中の符号Ｓ２に示す部分）の形状が線状であり、白線Ｓ２の太さが細いため、人間の目には白線Ｓ２の太さの変化を視認することが困難となる。よって、暗く表示する領域においてはグラデーションを表現できない。
【００２０】
また、図３（ｄ）（ｅ）の網点では、明るく表示する領域において黒線Ｓ１、Ｓ３の太さが細いため、精細度の低いスクリーン印刷で細い黒線Ｓ１、Ｓ３を印刷しようとすると線がかすれてしまい、所望のグラデーションを表現できない。
【００２１】
これに対し、図３（ａ）（ｂ）（ｃ）に示す網点ではトーンジャンプ境界が存在するといった短所があるものの、明るく表示する領域および暗く表示する領域のいずれの領域においても所望のグラデーションを表現できる、といった長所がある。従って、上記請求項２に記載の発明によれば、トーンジャンプ境界による短所を補いつつ、上記所望のグラデーションを表現できるといった長所を生かすことができる。
【００２２】
ところで、上記所定の回転角度が小さすぎても大きすぎても、視認されてしまう程度の干渉模様が発生してしまう。この点を鑑みて、請求項３に記載の発明のように、第１網点印刷層（３２）の網点（Ｐ）が並ぶ方向と第２網点印刷層（３３）の網点（Ｐ）が並ぶ方向とが交差する角度を、１０度以上４０度以下として好適である。
【００２３】
請求項４に記載の発明では、両網点印刷層（３２、３３）を、積層の方向に所定間隔以上離して配置したことを特徴とするので、乗員の視点から両網点印刷層（３２、３３）までの距離が異なることとなる。よって、両方の網点印刷層（３２、３３）に焦点を合わせて視認することが困難となり、干渉模様が鮮明に視認されてしまうことを抑制できる。
【００２４】
請求項５に記載の発明では、両網点印刷層（３２、３３）とともに積層配置され、光を拡散反射させる拡散層（３１、３１ａ、３４）を備えることを特徴とするので、干渉模様が鮮明に視認されてしまうことを抑制できる。
【００２５】
両網点印刷層（３２、３３）および拡散層（３１、３１ａ、３４）を形成する具体的手段としては、請求項６または７に記載の発明が挙げられる。請求項６に記載の発明では、両網点印刷層（３２、３３）は透光性基板（３１）に印刷して形成されており、透光性基板（３１）には光を拡散反射させる拡散材が混入されており、透光性基板（３１）により拡散層を構成したことを特徴とする。請求項７に記載の発明では、光を拡散反射させる拡散材が混入したインクにより印刷して形成された拡散反射印刷層（３４）を備え、拡散反射印刷層（３４）により拡散層を構成したことを特徴とする。
【００２６】
また、請求項８に記載の発明のように、両網点印刷層（３２、３３）の裏面から表面に向けて光を透過させる透過照明により、両網点印刷層（３２、３３）を照明するようにして好適である。
【００２７】
また、請求項９に記載の発明のように、表示板（３０）を照明する光源（６０）を備える車両用表示装置の表示板（３０）に、請求項１ないし８のいずれか１つに記載の表示板を用いて好適である。
【００２８】
なお、上記各手段の括弧内の符号は、後述する実施形態に記載の具体的手段との対応関係を示す一例である。
【発明を実施するための最良の形態】
【００２９】
以下、本発明の各実施形態を図に基づいて説明する。
【００３０】
（第１実施形態）
本実施形態では、本発明の車両用表示装置を乗用車用計器に適用している。図１は当該計器の正面図、図２は図１の計器に用いられる表示板の断面図であり、当該乗用車の車室内に設けたインストルメントパネル（図示しない）に、計器としてのスピードメータが取り付けられる。なお、図２中の上下前後方向を示す矢印は、スピードメータをインストルメントパネルに取り付けた状態における車両に対する方向を示している。
【００３１】
上記スピードメータは、ケーシング１０及び見返し板２０からなるハウジング内には、表示板３０、指針４０、プリント配線板５０、光源６０および図示しない回動内機等が収納されている。
【００３２】
見返し板２０は、乗員の視線方向（図２の左右方向）に延びる板状部材を環状に形成してなり、その底壁２１にて、ケーシング１０に組み付けられている。そして、表示板３０の視認範囲を仕切って輪郭４０Ｒを形作るものである。本実施形態では図１に示すように輪郭４０Ｒが円形となるように構成されている。なお、ハウジング１０、２０の材質は遮光性を有する合成樹脂製である。
【００３３】
表示板３０は、指針４０に指し示される目盛り部３０ａと、文字部３０ｂと、これら目盛り部３０ａおよび文字部３０ｂの背景を構成する背景部３０ｃとを有している。そして、ケーシング１０の開口部内にて、見返し板２０の底壁２１の開口部２１ａにその裏面側から装着されている。また、表示板３０は、表示板３０の裏面側に配置された光源６０により透過照明されるようになっている。
【００３４】
また、表示板３０は、透光性の基板３１の両面に、後述する第１網点印刷層３２および第２網点印刷層３３を印刷して構成されており、当該両網点印刷層３２、３３により背景部３０ｃを表現している。図１中の斜線を付した部分は、表示板３０のうち背景部３０ｃとして視認される領域を示している。
【００３５】
また、基板３１のうち両網点印刷層３２、３３が施されていない部分には、白色、赤色等の透光性印刷が施されており、この印刷により、目盛り部３０ａおよび文字部３０ｂが表現されている。
【００３６】
これらの目盛り部３０ａ、文字部３０ｂおよび背景部３０ｃを表現する印刷には、周知のスクリーン印刷が採用されており、本発明の要部である背景部３０ｃの印刷に関しては後に詳述する。
【００３７】
指針４０は、表示板３０の表面に沿って回動して目盛り部３０ａを指し示す指針部４１と、当該指針部４１を支持するボス部４２とから構成されている。ボス部４２には、回動内機の回転軸（図示せず）が圧入されるようになっており、回動内機の駆動力が回転軸からボス部４２に伝達されて、指針４０が回動するようになっている。
【００３８】
プリント配線板５０は、表示板３０の裏面側に配置されており、回動内機、光源６０、およびマイクロコンピュータその他の電子部品が実装されている。そして、当該電子部品により回動内機および光源６０の駆動が制御されるようになっている。
【００３９】
光源６０は、プリント配線板５０の表面側に実装され、表示板３０の裏面側から表面側に向けて光を透過させるものである。本実施形態の光源６０には発光ダイオードが採用されている。
【００４０】
なお、光源６０は表示板３０全体を透過照明するものである。従って、光源６０を複数備えることにより、表示板３０の輝度ムラ低減を図るようにして好適である。また、光源６０からの光を内部に導く導光板を、表示板３０と光源６０との間に配置して、導光板に設けられたしぼ加工等の反射面により、導光板内部の光を導光板の表面全体から表示板３０に向けて出射するようにして、輝度ムラ低減を図るようにしてもよい。
【００４１】
次に、本発明の要部である背景部３０ｃを表現する網点印刷層３１、３２について説明する。
【００４２】
両網点印刷層３２、３３は、網点Ｐにより明るさが徐々に変化するグラデーション状にスクリーン印刷して形成されている。網点には、隣り合う網点Ｐの間隔を変化させることにより明るさを変化させるタイプのものと、図３に示すように、隣り合う網点の間隔を等間隔にしたまま、網点Ｐの大きさを変化させることにより明るさを変化させるタイプのものがあるが、本実施形態では網点Ｐを等間隔に配置したタイプのものを採用している。
【００４３】
網点Ｐの形には、周知の如く図３（ａ）（ｂ）（ｃ）（ｄ）（ｅ）に示すものがある。図３（ａ）（ｂ）の網点Ｐは丸形、図３（ｃ）の網点Ｐは菱形、図３（ｄ）の網点Ｐは四角形、図３（ｅ）の網点Ｐは四角形の反転である。
【００４４】
なお、隣り合う網点の間隔（網点ピッチ）はいずれの図においても、１インチ角面積あたりの網点Ｐの数が３００個となるように設定されている。すなわち、隣り合う網点の間隔は約０．７ｍｍである。これは、スクリーン印刷による限界の値であり、これ以上網点の間隔を短くすることは一般的に困難となる。
【００４５】
そして、図３（ａ）〜（ｅ）では図中の左側から右側にかけて網点Ｐの大きさを徐々に大きくすることにより、明るさが徐々に暗くなるように形成されている。本明細書では、明るさが徐々に変化する方向をグラデーション方向Ａと呼ぶ。
【００４６】
そして、両網点印刷層３２、３３は積層配置されており、両網点印刷層３２、３３が重なって視認されることにより背景部３０ｃのグラデーションは表現されている。図１の斜線に示す背景部３０ｃは、指針４０の回動の径方向がグラデーション方向Ａとなるように形成されている。因みに、本実施形態では、両網点印刷層３２、３３が重なって視認された状態において、指針４０の回動中心から径方向外方に向かって、徐々に明るさが暗くなるようなグラデーションに背景部３０ｃを表現している。
【００４７】
また、図３に示す網点Ｐは、図の上下左右方向に並んで碁盤の目状に配置されており、本明細書では、これらの網点Ｐが並ぶ方向（図３の左右方向）を網点方向Ｂ１、Ｂ２と呼ぶ。図３の例では、便宜的に、グラデーション方向Ａと網点方向Ｂ１、Ｂ２とが一致した図となっているが、本実施形態のグラデーション方向Ａは径方向に放射状に延びる方向であるため、碁盤の目状となる網点方向Ｂ１、Ｂ２とグラデーション方向Ａとは必ずしも一致するものではない。
【００４８】
そして、本実施形態では、図４に示すように、第１網点印刷層３２の網点方向Ｂ１と第２網点印刷層３３の網点方向Ｂ２とが所定の回転角度θを有するように、両網点印刷層３２、３３は積層配置されている。第１網点印刷層３２の網点方向Ｂ１と第２網点印刷層３３の網点方向Ｂ２とが交差する角度（上記所定の回転角度θ）は、１０度以上４０度以下であることが望ましく、本実施形態では回転角度θが約３０度となるように設定されている。因みに、図４の符号３０ｄは、表示板３０の中心に形成され、回動内機の回転軸が貫通するように位置される貫通穴を示している。
【００４９】
また、本明細書では、単位面積当たりに占める網点Ｐの面積割合を網率（％）と呼ぶ。従って、網点Ｐが全くない状態では網率０％となり、網点Ｐで完全に埋め尽くされた状態では網率１００％となる。また、表示板３０のうち光の透過率が１００％となる領域では、両網点印刷層３２、３３の網率が０％となる。また、表示板３０のうち光の透過率が０％となる領域では、両網点印刷層３２、３３を重ね合わせた状態における網率が１００％となる（但しこの場合には網点Ｐの色を黒色にする必要がある）。
【００５０】
ここで、図３（ａ）（ｂ）（ｃ）に示す網点Ｐによる網点印刷層３２、３３では、隣り合う網点Ｐが接触する接触領域Ｓ１と、隣り合う網点Ｐが接触しない非接触領域Ｓ２とのトーンジャンプ境界Ｔを有している。一方、図３（ｄ）（ｅ）に示す網点Ｐによる網点印刷層３２、３３では、接触領域Ｓ１が存在せず、非接触領域Ｓ２のみからグラデーションを表現できる。
【００５１】
本実施形態では、両網点印刷層３２、３３に、図３（ａ）に示す標準網点を採用しており、当該標準網点では網率が５０％となる部分にトーンジャンプ境界Ｔが位置する。トーンジャンプ境界Ｔでは、明るさが急激に変化するように見えてしまう。
【００５２】
因みに、図３（ｂ）では、網点Ｐの横方向端部どうしが接触する横軸トーンジャンプ境界Ｔと、網点Ｐの縦方向端部どうしが接触する縦軸トーンジャンプ境界Ｔとが存在する。横軸トーンジャンプ境界Ｔは網率が４０％となる部分に位置し、縦軸トーンジャンプ境界Ｔは網率が６０％となる部分に位置する。
【００５３】
また、網点Ｐの色には、両網点印刷層３２、３３ともに黒色が採用されている。従って、両網点印刷層３２、３３を重ねた状態において網率が１００％となるように見える部分では、透過率が０％となる。
【００５４】
図５は、両網点印刷層３２、３３において、表示板３０の中心位置から外周位置までにおける位置と、網率および透過率との関係を示すグラフ図である。図中の曲線Ｃ１は第１網点印刷層３２における位置と網率との関係を示し、図中の曲線Ｃ２は第２網点印刷層３３における位置と網率との関係を示す。
【００５５】
当該曲線Ｃ１、Ｃ２に示すように、両網点印刷層３２、３３のトーンジャンプ境界Ｔは、表示板３０の中心位置から外周位置までにおける位置において一致することなく、ずれた位置関係となるように両網点印刷層３２、３３は積層配置されている。
【００５６】
ここで、曲線Ｃ０に示すように単純な直線となるように両網点印刷層３２、３３を形成すると、透過率が０％に近い領域および１００％に近い領域では、人間の目における明るさの変化を認識する能力が低いため、徐々に明るさの変化するグラデーションに視認することができず、明るさがあまり変化していないように認識されてしまう。
【００５７】
そこで、本実施形態では、曲線Ｃ１、Ｃ２に示すように網点Ｐの大きさを変化させて、グラデーションを表現している。すなわち、透過率が０％に近い領域（網率が１００％に近い領域）および透過率が１００％に近い領域（網率が０％に近い領域）では、透過率が５０％に近い領域（網率が５０％に近い領域）に比べて、網点位置の変化に対する網率の変化がなだらかに変化するように設定している。
【００５８】
以上の構成による本実施形態において、マイクロコンピュータの駆動制御により光源６０を点灯させると、表示板３０が透過照明される。このとき、背景部３０ｃは黒色のグラデーション状に視認されるとともに、目盛り部３０ａおよび文字部３０ｂは、均一な明るさの白色または赤色に視認される。
【００５９】
以上により、本実施形態によれば、グラデーション状にスクリーン印刷してなる網点印刷層３２、３３を２層積層して配置するので、乗員には２層の網点印刷層３２、３３が重なって視認されることとなる。よって、スクリーン印刷の限界を超えて網点ピッチを小さくでき、グラデーション表示の解像度を高めることができる。
【００６０】
また、第１網点印刷層３２の網点方向Ｂ１と第２網点印刷層３３の網点方向Ｂ２とが所定の回転角度θを有するように、両網点印刷層３２、３３は積層配置されているので、図１２および図１３に示す上記干渉模様の発生を回避できる。
【００６１】
また、両網点印刷層３２、３３のトーンジャンプ境界Ｔは、表示板３０の中心位置から外周位置までにおける位置において一致することなく、ずれた位置関係となるように両網点印刷層３２、３３は積層配置されているので、トーンジャンプ境界Ｔにて明るさが大きく変化することを抑制でき、グラデーションの見栄えを向上できる。
【００６２】
また、基板３１の両面に、第１および第２網点印刷層３２、３３を印刷するので、両網点印刷層３２、３３は基板３１の厚み分だけ離れて配置されることとなる。すると、乗員の視点から両網点印刷層３２、３３までの距離が異なることとなり、両方の網点印刷層３２、３３に焦点を合わせて視認することが困難となる。これにより、干渉模様が鮮明に視認されてしまうことを抑制できるとともに、トーンジャンプ境界Ｔにて明るさが大きく変化するように見えてしまうことを抑制できる。
【００６３】
なお、透光性基板３１には光を拡散反射させる拡散材が混入されている。これにより、両網点印刷層３２、３３とともに積層配置されて光を拡散反射させる拡散層が構成されている。従って、光源６０の光は透光基板３１を透過する際に拡散する。これにより、干渉模様が鮮明に視認されてしまうことを抑制できるとともに、トーンジャンプ境界Ｔにて明るさが大きく変化するように見えてしまうことを抑制できる。
【００６４】
（第２実施形態）
上記第１実施形態では、透光性基板３１に拡散材を混入させることにより拡散層を構成しているが、本実施形態では、図６に示すように、拡散反射印刷層３４を表示板３０に備え、当該拡散反射印刷層３４により拡散層を構成している。拡散反射印刷層３４は、光を拡散反射させるガラスビーズ等の拡散材が混入したインクにより印刷して形成されたものである。
【００６５】
これによっても、干渉模様が鮮明に視認されてしまうことを抑制できるとともに、トーンジャンプ境界Ｔにて明るさが大きく変化するように見えてしまうことを抑制できる。
【００６６】
なお、前記インクに、艶消し用のインクを採用して、表示板３０の表面側から入射する光が表示板３０の表面で反射して、乗員に反射光が視認されてしまうことを防止するようにして好適である。
【００６７】
（第３実施形態）
上記第１実施形態では、透光性基板３１に拡散材を混入させることにより拡散層を構成しているが、本実施形態では、図７に示すように、透光性基板３１の少なくとも一方の面を、凹凸形状に加工することで、基板３１自体に拡散層３１ａを形成している。
【００６８】
これによっても、干渉模様が鮮明に視認されてしまうことを抑制できるとともに、トーンジャンプ境界Ｔにて明るさが大きく変化するように見えてしまうことを抑制できる。
【００６９】
（第４実施形態）
上記第１実施形態では、両網点印刷層３２、３３を同じ色（黒色）の網点で構成しているが、本実施形態では、両網点印刷層３２、３３を異なる色で構成している。ここで、黒色の網点Ｐでは、網率が１００％では透過率が０％となるのに対し、黒色以外の色の網点Ｐでは、網率が１００％であっても透過率が０％とはならず、光を透過する。
【００７０】
図８は、黒色と白色を採用した本実施形態において、表示板３０の中心位置から外周位置までにおける位置と、網率および透過率との関係を示すグラフ図である。網率の変化は、直線Ｃ３に示すように、両網点印刷層３２、３３で同一の変化となるように設定しているにも拘わらず、透過率の変化は、直線Ｃ４に示すように、両網点印刷層３２、３３で異なる変化となる。
【００７１】
このように異なる色の網点Ｐを組み合わせることにより、干渉模様が鮮明に視認されてしまうことをより一層抑制できる。
【００７２】
なお、図８に示す例では両網点印刷層３２、３３のトーンジャンプ境界Ｔが同じ位置となっているが、図５に示すように異なる位置となるようにして好適である。また、図８に示す例では網率が直線的に変化するように設定しているが、図５に示すように、透過率が０％および１００％に近い領域では、透過率が５０％に近い領域に比べて、網点位置の変化に対する網率の変化がなだらかに変化するように設定して好適である。
【００７３】
（他の実施形態）
上記第１〜第４実施形態では、両網点印刷層３２、３３を同じ形（図３（ａ）に示す丸形）の網点で構成しているが、本発明の実施にあたり、第１網点印刷層３２の網点Ｐに、第２網点印刷層３３の網点Ｐと異なる形の網点Ｐを採用するようにしてもよい。これにより、干渉模様が鮮明に視認されてしまうことをより一層抑制できる。
【００７４】
また、上記第１〜第４実施形態では、両網点印刷層３２、３３の網点ピッチ（約０．７ｍｍ）を同じ寸法に設定しているが、本発明の実施にあたり、第１網点印刷層３２の網点ピッチを、第２網点印刷層３３の網点ピッチと異なる寸法に設定してもよい。これにより、干渉模様が鮮明に視認されてしまうことをより一層抑制できる。
【００７５】
また、上記第１〜第４実施形態では、両網点印刷層３２、３３を基板３１の両面にそれぞれ形成しているが、本発明の実施にあたり、表面または裏面に両網点印刷層３２、３３を重ねて形成してもよい。
【００７６】
また、上記第１〜第４実施形態では、表示板３０の裏面から表面に向けて光を透過させる透過照明を採用しているが、本発明の実施にあたり、直接照明を採用してもよい。但し、直接照明を採用する場合には、拡散層３１、３１ａ、３４を両網点印刷層３２、３３の表面側に位置させる必要がある。
【００７７】
さらに、上記各実施形態では、第１網点印刷層３２や第２網点印刷層３３の網点ピッチを等間隔にしたものを例に挙げて説明したが、網点ピッチは必ずしも等間隔でなくても上記した効果を得ることが可能である。図９に、網点ピッチが等間隔でない場合の第１網点印刷層３２や第２網点印刷層３３のパターン例を示した平面図を示す。
【００７８】
図９（ａ）、（ｂ）は、丸型網点や四角形網点の場合に、網点の大きさが大きくなるほど網点ピッチを広げたものである。図９（ｃ）、（ｄ）は、丸型網点や四角形網点の場合に、各網点の大きさを同じにしたときに網点ピッチを変更することで、網点密度を変化させ、網点ピッチが狭い場所ほど網点密度が大きくなり、網点ピッチが広い場所ほど網点密度が小さくなるようにしたものである。
【００７９】
これらに示されるように、第１網点印刷層３２や第２網点印刷層３３を網点ピッチが等間隔でないようなパターンとした場合であっても、上記各実施形態を適用することができ、これらの場合にも上記効果を得ることが可能である。
【図面の簡単な説明】
【００８０】
【図１】本発明の第１実施形態に係るスピードメータの正面図である。
【図２】図１のスピードメータに用いられる表示板の断面図である。
【図３】網点Ｐの形の種類を説明する平面図であり、（ａ）は第１実施形態に係る丸形標準網点、（ｂ）は複数のトーンジャンプ境界Ｔを有する丸形網点、（ｃ）は菱形網点、（ｄ）は四角形網点、（ｅ）は四角形の反転網点を示す。
【図４】第１実施形態に係る両網点印刷層３２、３３の位置関係を説明する図である。
【図５】第１実施形態に係る両網点印刷層３２、３３において、表示板３０の中心位置から外周位置までにおける位置と、網率および透過率との関係を示すグラフ図である。
【図６】本発明の第２実施形態に係る図である。
【図７】本発明の第３実施形態に係る図である。
【図８】本発明の第４実施形態に係る図である。
【図９】本発明の他の実施形態に係る両網点印刷層３２、３３のパターン例を示す平面図である。
【図１０】本発明により解決される課題を説明する図であって、両網点印刷層３２、３３を積層配置した状態において、網点同士が完全に重なって明るく見える様子を示す平面図である。
【図１１】本発明により解決される課題を説明する図であって、両網点印刷層３２、３３を積層配置した状態において、網点同士の重なる量が少なく、暗く見える様子を示す平面図である。
【図１２】本発明により解決される課題を説明する図であって、両網点印刷層３２、３３を積層配置した状態において、暗く見える部分が所定間隔Ｌ毎に連続的に生じて、縞模様が生じている様子を示す平面図である。
【図１３】図１２の状態から回転角度を僅かに大きくして、縞模様の所定間隔Ｌが短くなった様子を示す平面図である。
【図１４】本発明により、両網点印刷層３２、３３を積層配置した状態において干渉模様が消えた様子を示す図である。
【符号の説明】
【００８１】
３０…表示板、３２…第１網点印刷層、３３…第２網点印刷層、
Ａ…グラデーション方向、Ｂ１、Ｂ２…網点が並ぶ方向、Ｐ…網点、
θ…所定の回転角度。
【図１】
2005031634.tif 000003
【図２】
2005031634.tif 000004
【図３】
2005031634.tif 000005
【図４】
2005031634.tif 000006
【図５】
2005031634.tif 000007
【図６】
2005031634.tif 000008
【図７】
2005031634.tif 000009
【図８】
2005031634.tif 000010
【図９】
2005031634.tif 000011
【図１０】
2005031634.tif 000012
【図１１】
2005031634.tif 000013
【図１２】
2005031634.tif 000014
【図１３】
2005031634.tif 000015
【図１４】
2005031634.tif 000016